(57)【要約】【課題】植物の生育容器の代用となる袋体を用い、この袋体を適宜場所に設置することで、簡単に緑化できるようにした植栽培土生育装置を提供すること。【解決手段】防根シートを用い、必要に応じて吸水、保水、排水の機能を持ったシートを加えてこれらのシートを接合して袋状とした内部に培土を封入し、少なくとも防根シート部分を植栽面とした植栽培土収納袋２と、前記植栽培土収納袋２を少なくとも保形できるように取り付けられた保形部材３とからなる植栽培土生育装置１。【選択図】図１
2010220591.tif 000002
【特許請求の範囲】
【請求項１】
防根シートを用い、必要に応じて吸水、保水、排水の機能を持ったシートを加えてこれらのシートを接合して袋状とした内部に培土を封入し、少なくとも防根シート部分を植栽面とした植栽培土収納袋と、前記植栽培土収納袋を少なくとも保形できるように植栽培土収納袋に取り付けられた保形部材とからなることを特徴とする植栽培土生育装置。
【請求項２】
上記保形部材の一部又は全部が、植栽培土収納袋に対して着脱固定自在とした請求項１に記載の植栽培土生育装置。
【請求項３】
上記保形部材の一部又は全部が、板状体、桟材、シート状体の材料のうち一部又は全部を組み合わせて少なくとも保形できるように形成され、上記植栽培土収納袋の下面に着脱固定自在に接合されることを特徴とする請求項１又は２に記載の植栽培土生育装置。
【請求項４】
上記保形部材に、植栽培土収納袋を押圧して内部の培土の移動を阻止できるように植栽培土収納袋の内部に向いた突出部又は植栽面を押さえる部材を培土崩落防止具として設けてあることと特徴とする請求項１乃至３のいずれか１項に記載の植栽培土生育装置。
【請求項５】
上記保形部材の一部又は全部が、前記植栽培土収納袋内に培土と共に装着され、該袋体の形状を保持しうるように桟材、板材、線材等の骨組みからなることを特徴とする請求項１乃至４のいずれか１項に記載の植栽培土生育装置。
【請求項６】
前記防根シートと同じ材料からなり、植栽培土収納袋の植栽面に穿孔植栽された植物の茎が通る小穴もしくはスリットを１又は複数有し、各小穴もしくはスリットに対して外周部と繋がる切り込みが１つ入り、大きさが植栽培土収納袋の植栽面の穿孔より大きなキャップシールが用意され、このキャップシールを穿孔植栽後の穿孔の部分を覆って穿孔を封鎖できるようにしたことを特徴とする請求項１乃至５のいずれか１項に記載の植栽培土生育装置。
【発明の詳細な説明】
【技術分野】
【０００１】
この発明は、垂直面、傾斜面、平面等に関係なく適宜場所に設置することで設置場所を簡単に緑化することができる植栽培土生育装置に関するものである。
【背景技術】
【０００２】
地球温暖化の防止、特に都市部におけるコンクリート面の照り返しによる温暖化現象を防止する手段として、ビルの屋上や平面スペース等の太陽が照りつける場所を植物で緑化することが有効であり、また、ビル所有者や土地所有者に一定の緑化を義務づける法整備も進みつつあり、このような緑化の要請に対して、ビルの屋上等のスペースに対して簡単に緑化を行うことができるように、植物を植栽した容器を並べて緑化する緑化装置が多数開発されてきている。
【０００３】
最近は、ビルの壁や高速道路の防音壁等の垂直面に対しての緑化の要望も出てきているが、これら垂直面の緑化植物は、蔦類の一部を除いても生育が難しく、出来たとしても装置に莫大な費用がかかり、その上、維持管理が大変である。
【０００４】
また、蔦類に限らず多彩な植物を用いて緑化を行うために、培土を垂直に保持するための特殊な容器や培土を用いて、これらの容器を立て積みにして垂直面を緑化することも試行錯誤が行われていた。
【０００５】
本願発明者は、垂直面の緑化に際し、灌水装置等の手段を必要とせずに自然雨等で植物を維持できる緑化用のユニットを発明し、この発明により、壁面等の垂直部分の緑化と保守管理が容易となった（特許文献１参照）。
【０００６】
しかしながら、最近は地球温暖化の諸問題が一般の人々の知る所となり、緑化の要求は従来から緑化が行われていたビルの屋上の平面やビル壁面等の垂直面のみならず、更に色々な場所の緑化が求められてきており、住宅や工場の屋根等を緑化することも求められてきている。
【０００７】
ここで、屋根としては凹溝を凸部を交互に並べた折板屋根が、その丈夫で軽量な利点から住宅や工場用の屋根として広く使用されており、屋根の緑化装置としてもこの折板屋根の緑化に特化したものが種々発明されており、例えば、折板屋根の溝の部分に培地を入れることで緑化するものや（例えば、特許文献２、特許文献３参照）、折板屋根の凸部分の上に平板状の緑化部を並べたもの（例えば、特許文献４参照）等種々提案されている。
【０００８】
ところで、前述の特許文献１中では、緑化するための植栽面を、平面の場合は別として傾斜させる必要のある場合、培土が容器内で片寄るので、培土の崩落防止のための各種崩落防止手段を用いているが、その中に、培土全体を袋体に入れるものもある（特許文献１図３（ｄ））。
【０００９】
この、特許文献１の図３のものは、培土が予め小さな袋内に収納されているため、培土を現場にて容器内に移す手間が省け、また、この小さな袋は手で持ち運べるので培土を所定の場所に簡単に設置できるという利点がある。
【００１０】
また、培土を入れた袋体自体から植物を袋体の外側に発育させることで、袋体自体を植物生育用容器のように取り扱うものもある（例えば、特許文献５参照）。
【００１１】
以上のように、特許文献１の図３や特許文献５の袋体内に培土を封入したものは、袋体のまま培土を運べるので、現場等にて培土を容器内に移す作業も必要なく、手で持ち運びする際にも培土がこぼれたりせず運搬できるので、今まで緑化作業が困難であった屋根上等における培土設置作業に用いれば緑化のための作業も容易になる。
【先行技術文献】
【特許文献】
【００１２】
【特許文献１】特開２００８−３５７８７号公報（図３（ｄ））
【特許文献２】特開平７−１１１８２９号公報
【特許文献３】特開２００４−８９０９０号公報
【特許文献４】特開２００８−１２５３８７号公報
【特許文献５】特開２００５−２０号公報
【発明の概要】
【発明が解決しようとする課題】
【００１３】
ところで、上記特許文献２乃至４の折板屋根の緑化装置は、通常人が立ち入ることを想定していない屋根上で緑化作業をしなければならないため、緑化作業が複雑で手間がかかり、作業の安全上も支障が生じるおそれがあった。
【００１４】
また、植物生育用の培土が剥き出し状態であるので、風で雑草等の種が運ばれて、予定していた以外の雑草が生えてしまった場合、本来の植物が浸食されて枯れる等を元に戻そうとしても屋根の上であるため雑草の抜き取り作業や緑化植栽面の取替作業が困難で危険を伴うものであった。
【００１５】
ここで、先に示した特許文献１の袋体は、前述の通り、持ち運びが容易で培土の設置も容易であり、更に、培土が覆われているため、雑草等の他の植物がはびこらないという利点があるが、袋体自体は培土の崩落防止のみを目的としており、別途用意した固定された容器内にこの袋体を載置することで培土が所定位置に固定されるようになっており、容器を用いない袋体単体での使用はあまり考慮されていなかった。
【００１６】
そして、これら袋体の設置には容器及び容器を固定するための枠体が必須であり、最初に枠体の設置が必要となるので、枠体を設置できるスペースが必要であり、また設置場所に適応した枠体を別途用意する必要もあり、設置に伴う枠体のコストもかかるものであった。
【００１７】
ところで、この袋体は培土の保持機能があるので、培土を封入した袋体のみを用いて培土容器の代わりにすることも考えられるが、袋体は不定形で形が保持できないので、流動体である培土を封入してもそのままでは形が定まらず、袋体を培土容器に置換するのは困難であった。
【００１８】
また、袋体は設置し易い平面にそのまま置くことも考えられるが、平面に袋体を単に設置しただけでは、風雨により袋体が動いたり、袋体の柔軟性のため形が崩れたりして植育が悪くなったり、袋体と設置面との摩擦によって袋体が破損して培土が流出する恐れがあるため、袋体単体での設置は問題があり、この袋体自体をそのままで植物の生育容器として使用することは困難であった。
【００１９】
一方、特許文献５の袋体は、袋体自体は本圃へ載置され、その後に根が袋体から突出して本圃と一体化させるものであり、この袋体も場所を選ばず設置できる一般的な植物の生育容器に替わるものとは言えなかった。
【００２０】
そこでこの発明の課題は、植物の生育容器の代用となる袋体を用い、この袋体を適宜場所に設置することで、簡単に緑化できるようにする植栽培土生育装置を提供することを課題とする。
【課題を解決するための手段】
【００２１】
上記のような目的を解決するため、請求項１の発明は、防根シートを用い、必要に応じて吸水、保水、排水の機能を持ったシートを加えてこれらのシートを接合して袋状とした内部に培土を封入し、少なくとも防根シート部分を植栽面とした植栽培土収納袋と、前記植栽培土収納袋を少なくとも保形できるように植栽培土収納袋に取り付けられた保形部材とからなる構成を採用した植栽培土生育装置である。
【００２２】
ここで、防根シートとは、緑化等に用いられる根を通さないシートであり、このシートを植栽面とするには、シート上に適宜間隔で植栽マークを予め設けておき、現場にてこの植栽マーク部分に穿孔植苗して内部の培土に植物の種や苗を植え込み、この穿孔から植物を生育させて突出させることで植栽面とすると共に、この防根シートにより風等で飛んできた雑草の種が内部の培土に根を張らないようにし、雑草の付着生育を阻むようにしてある。
【００２３】
なお、この防根シートは袋体を設置した際に、一般的には面積の広い主面となる上面（上向きの傾斜面の場合もある）に用いられるが、それに加えて袋体の側面に用いて側面を植栽面とすることもある。
【００２４】
また、必要に応じて袋体の材料として加えられる吸水、保水、排水の機能を持ったシートとは、前記防根シートと接着、縫合等の手段により接合されて袋体を形成し、この袋体を設置した際に主に下面や側面となる面に用いられ、自然の雨水を吸水保持しておいて培土が乾いたら培土に水分を移すことで植栽面の植物を生育保持すると共に、余剰水を外部に排出する役目を持つものであれば材料等は特に限定されるものではないが、例えば、フェルト状の生地等が適している。
【００２５】
また、この吸水、保水、排水の機能を持ったシートは、用いられる場合は主に袋の下面側を構成するが、植物の根が通過すると、袋の取替に支障が生じたり見栄えが悪くなるので、植物の根が通過しない材質が好ましい。
【００２６】
上記防根シート、必要に応じて吸水、保水、排水の機能を持ったシートを加えてこれらシートを接合して袋状にして植栽培土収納袋を形成するが、シートの接合方法は特に限定されず、縫製、接着剤による接合その他の既知の方法により接合して袋状とすれば良く、また形成された袋の形状も特に限定されないが、設置場所にて複数を並べて置くのが一般的なため、上面から見て長方形で、内部に培土を含むように厚みが生じるため、略矩形状となるような袋とするのが一般的である。なお、防根シート、フェルト状の生地等は、上、下、横と組み合わせは限定されない。また、形成された袋体の、矩形、長形の方向性は自在である。
【００２７】
なお、植栽面の緑化方法としては、防根シートに穿孔を開けて、その孔を通じて植物の種、又は発芽済の苗及び種を内部の培土に埋め込んでいくと、雑草等の種が植栽面に飛んできても、防根シートに遮られて培土内に入り込まず、目的の植物のみが育つことになる。なお、苗の幹根元に鍔状で穴の調整できるキャップシートを取り付けておくことで、穿孔された孔を通じて雑草等の種が培土に入り込むことを防ぐことができる。
【００２８】
前記植栽培土収納袋取り付けられた１又は複数の保形部材により、軟体で柔軟性のある植栽培土収納袋の保形を安定して維持することができ、この保形部材の材料としては、接合された植栽培土収納袋を保形できるように保形部材自身が保形機能を有するものであれば、形状、材質等は特に限定されないが、植栽培土生育装置が使用されるのが屋外であるため、風雨や直射日光を受けても腐食や風化し難い材質であることが必要である。
【００２９】
また、保形部材と植栽培土収納袋と取付手段としては、特に限定されず、接着剤等で固定したままのものでも、着脱固定手段等、適宜任意手段を用いることができ、その取付場所も特に限定されず、保形部材が植栽培土収納袋の下面全面を支えるものの他、保形部材が植栽培土収納袋の側面や角部のみと接合するものでも良く、要するに、植栽培土収納袋を保形部材に固定した際、植栽培土収納袋が撓まず保形できる構成であれば良い。
【００３０】
なお、保形部材は、一つの植栽培土収納袋に対して一つと限定されるものではなく、複数個の保形部材を植栽培土収納袋に接合して使用するものでもよい。もちろん、一つの大きな保形部材に対して、複数個の植栽培土収納袋を着脱自在に固定して使用するものであってもよい。
【００３１】
次に、請求項２の発明は、請求項１に記載の植栽培土生育装置において、上記保形部材の一部又は全部が、植栽培土収納袋に対して着脱固定自在とした構成を採用したものである。
【００３２】
上記着脱固定自在の手段としては、ボタン、フック、バンド、ベルト、面ファスナー、嵌合等の既知の着脱手段を適用することができ、この着脱固定手段により、植栽培土収納袋と保形部材とを簡単に取り外して古くなった植栽培土収納袋を除き、新たな植栽培土収納袋を取り付ける等、メンテナンスが容易になる。
【００３３】
次に、請求項３の発明は、上記請求項１又は２に記載の植栽培土生育装置において、上記保形部材の一部又は全部が、板状体、桟材、シート状体の材料のうち一部又は全部を組み合わせて少なくとも保形できるように形成され、上記植栽培土収納袋の下面に着脱固定自在に接合される構成を採用したものである。
【００３４】
なお、保形部材を構成する板状体としては、平板状のものの他、網状のものも含まれ、更に、形状は平板のみならず、一部又は全部が曲面を有したものも含まれる。
【００３５】
平板状のものは、植栽培土収納袋の下面を支えて、自然雨水を保持して植栽培土収納袋のシートに水分を与えるのに適しており、網状のものは、保水シートから水分を排出し易くしたり通気性を良くするのに適しており、設置場所の自然環境や植栽植物の性質を考慮して適宜選択すれば良く、また、板状体に貫通孔を複数箇所開けたり、パイプ状部材を多数本並列させて板状としてパイプ間にスリットを設けたり、或いは板状体を多孔質板とすることによって、網状体と同様の効果を得るようにしてもよい。
【００３６】
保形部材を構成する桟材としては、丸棒、角棒等の直線状の棒状体のみならず、曲線状のものも含まれる他、長方形の平板状のものであってもよく、要するにその長短にかかわりなく、短片や棒状のものであればこれに含まれる。
【００３７】
植栽培土収納袋の保形は、植栽培土収納袋の下側主面に板状体や網状体を貼り付けるのが効果的であるが、桟材の保形部材の場合、例えば、長方形矩形状の袋体に対して、長手方向に沿った両側面に対し桟材を適宜手段にて両側面全長にわたって取り付けるだけでも、植栽培土収納袋が撓まずにそのままの形を保形する効果がある。
【００３８】
また、上記側面に接合する桟材が平板状の場合（以下、側板という）は、その側板が雨水を受けて植栽培土収納袋の保水シートに導く効果があり、更に、この側板を設置場所への固定のため、又は隣り合う植栽培土生育装置へ接続のための接続具として利用することもでき、板状体の保形部材の側部に直接この側板を設けるようにしてもよい。
【００３９】
保形部材を構成するシート状体としては、布製、合成樹脂製、革製、紙製等その材料は限定されないが、雨水に晒されることを考慮すると、特に紙製のものは撥水処理がなされたものが好ましい。
【００４０】
シート状体の保形部材の場合、それ自体は可撓性があり保形機能を有していないが、シート状体の四隅を設置場所に固定したり、他の板状体や桟材との組み合わせることにより、シート状体であっても保形機能を有するようになり、通常は、全体が引っ張られて固定されることにより、平板状に保持されたシート状体の上に、植栽培土収納袋を着脱固定自在に設置すればよく、特にシート状体が布製の場合、植栽培土収納袋の下側からの排水性が良くなる。
【００４１】
以上、保形部材を構成する板状体、桟材、シート状体は、単独のみならず複数を組み合わせて用いても良く、要するに、植栽培土収納袋と接合した際、植栽培土収納袋に対して保形機能を有するものであれば良い。
【００４２】
また、この保形部材に、例えば、取付孔、取付具等の適宜手段を設けておくことにより、屋上などの平面、壁などの垂直面、屋根などの傾斜面に取り付けて設置することが可能となり、例えば、平面や雛壇には足つきの台座状の保形部材を用い、直壁や斜面には適宜部材にネジ止めや面ファスナー等により固定することができる。
【００４３】
そして、平面屋根、折板屋根等に設置した際には、植栽培土収納袋が足つきの保形部材により所定高さを保持すれば、屋根上に直接袋体が置かれても、雨水が降った際に屋根上の流水の流れを妨げるといったことがなく、樋等の詰まりが発生しない。
【００４４】
次に、請求項４の発明は、上記請求項１乃至３のいずれか１項に記載の植栽培土生育装置において、上記保形部材に、植栽培土収納袋を押圧して内部の培土の移動を阻止できるように植栽培土収納袋の内部に向いた突出部又は植栽面を押さえる部材を培土崩落防止具として設けてある構成を採用したものである。
【００４５】
植栽培土収納袋の設置場所の角度によっては植栽培土収納袋の中の培土の崩落が起きて培土が片側に固まったり植物と分離、根切れ、枯死、などが起こりやすいため、植栽培土収納袋内の培土の移動を規制するように、植栽培土収納袋の外側から突出部を植栽培土収納袋の内側に押し込み、袋内での培土の移動を制限し、培土崩落防止を図るのである。
【００４６】
また、植栽面を押さえる部材、例えば平板や桟材を植栽面を押さえるように設けることによって、仮に植栽面が傾いても下方にある植栽面に袋体内から培土が流れ込んでも、植栽面を膨らむのをこれら部材が押さえることで、培土に移動を阻止することができる。
【００４７】
次に、請求項５の発明は、請求項１乃至４のいずれか１項に記載の植栽培土生育装置において、上記保形部材の一部又は全部が、前記植栽培土収納袋内に培土と共に装着され、該袋体の形状を保持しうるように桟材、板材、線材等の骨組みからなる構成を採用したものである。
【００４８】
保形部材は、必ずしも植栽培土収納袋の外側から取り付けられるものに限定されるものではなく、植栽培土収納袋に培土と共に封入されて、内部から植栽培土収納袋を保形するものであってもよい。この場合、封入される保形部材は、その外形が植栽培土収納袋の袋体の大きさと略同一となるようにすれば内側から袋体を支えて保形効果を有することになる。
【００４９】
ここで、内部に収納する保形部材を、桟材、板材、線材等を組み合わせた骨組みで構成するのは、封入される培土の量を減らさないように体積を極力小さくしておくためである。また、この保形部材の骨組みは、他の外側から取り付ける形式の保形部材と併用できることはもちろんである。
【００５０】
なお、この請求項５の保形部材は、植栽培土収納袋内で培土の移動を規制する作用があり、請求項４で示した突出部のような培土崩落防止作用もある。
【００５１】
次に、請求項６の発明は、請求項１乃至５のいずれか１項に記載の植栽培土生育装置において、前記防根シートと同じ材料からなり、植栽培土収納袋の植栽面に穿孔植栽された植物の茎が通る小穴もしくはスリットを１又は複数有し、各小穴もしくはスリットに対して外周部と繋がる切り込みが１つ入り、大きさが植栽培土収納袋の植栽面の穿孔より大きなキャップシールが用意され、このキャップシールを穿孔植栽後の穿孔の部分を覆って穿孔を封鎖できるようにした構成を採用したものである。
【００５２】
植栽のために植栽培土収納袋に植栽される植物の苗は、その根の部分が土と一体になった塊状であり、植栽培土収納袋に開けられる穿孔はこの球状の根の部分よりも大きな孔となっている。一方、植物の茎の部分は根の部分より径が細いため、穿孔植栽後の穿孔部分は大きな直径の穿孔から小さな直径の茎が出ていることになり、茎の部分以外は培土が外部に露出していることになる。
【００５３】
この穿孔の部分で培土が露出してしまうと、せっかく培土を防根シートで形成された袋体に収納していても、穿孔の培土露出部分に雑草等の種が付着してしまうことになる。また植栽培土収納袋の移動の際や、植栽面の傾き、若しくは強風などで、培土が穿孔部分から外部にこぼれ出てしまうこともある。
【００５４】
そこで、植栽面の穿孔植栽後の穿孔の部分を、雑草等の根を通さない防根シートからなるキャップシールにて封鎖し、雑草が根付いたり、培土が袋内からこぼれることが無いようにした。
【００５５】
キャップシールとしては、穿孔植栽後の植物の茎が出た状態の穿孔に対して取り付けるため、植物の茎が通過する程度の小穴又はスリットが開けてあり、また、この小穴又はスリットに植物の茎を嵌め込むため、キャップシールの外周部と小穴又はスリットを繋ぐ切り込みが入れてあり、茎を切り込みを通じてキャップシールの内側の小穴又はスリットに嵌り込むよう誘導する。
【００５６】
小穴やスリットとしては、茎が通るものであれば、穴の形状、スリットの寸法等は限定されない。またスリットは１本に限られず、中心部で交差させて十字状にすれば、その交差部分に茎を容易に通すことができる。
【００５７】
また、小穴とスリットを組み合わせたりしてもよく、小穴を中心にスリットを十字状やその他放射状に入れたりすれば、植物の種類による茎の太さの相違や植物の成長による茎の変化に対応することができる。
【００５８】
キャップシールの固定は、キャップシールの裏面側周辺部に両面接着テープ等又は面ファスナー等を取り付けておいて、この両面接着テープにて植栽培土収納袋とキャップシールとを接着固定することが考えられるが、固定方法はこれに限られず、既知の種々の方法が適用できる。
【００５９】
なお、キャップシールと植栽培土収納袋との固定に、面ファスナー等の着脱自在な固定手段を採用すれば、設置後の植栽培土生育装置の植物が枯れた場合等、キャップシールを植栽培土収納袋から取り去って穿孔から植物を根と共に取り出し、新しい苗を入れてから再びキャップシールを固定することで、枯れた植物の取り替えが可能となる。
【００６０】
キャップシールの大きさや形状は、主に円形状となる穿孔を効率よく覆うために同様な円形状とするのが効率的であるが、特に限定されず、穿孔を覆えるよう程度に穿孔の外径より大きい形状であれば特に限定されないが、穿孔から出ている茎の部分が小穴又はスリットの部分となるので、小穴又はスリットが中央に開けられていると仮定し、茎が穿孔の端の部分から出ている場合も考慮し、穿孔の２倍程度の直径としておくのが好ましい。
【００６１】
なお、キャップシールの寸法は小さい方が材料コストが安いが、キャップシールを大きくし、２つ以上の複数の穿孔を封鎖するようにして、穿孔の封鎖作業の効率を高める仕様にしてもよく、その場合、キャップシールに穿孔の間隔と一致する間隔で複数の小穴又はスリットを設け、それぞれの小穴又はスリットにキャップシールの外周部と連なる切り込みを入れておくようにする。
【発明の効果】
【００６２】
以上のように、請求項１に記載の発明の植栽培土生育装置によれば、培土は植栽培土収納袋の内部に封入されているので、現場での培土の詰め込み作業が必要なく、また、培土も袋ごと手に持って運んで載置できるので、作業が困難な場所での緑化作業の効率が向上する。
【００６３】
また植栽培土収納袋の植栽面に予め植栽位置のマーキングに穿孔植栽により植物の種や苗を埋め込むだけで、後は自然の雨水を保水シートにより吸水、保水、排水することで培土に水を供給し、植物を灌水装置無しに生育させることができる。
【００６４】
また、各袋に植え込む苗数を一定にすれば、袋体の数により一定面積の苗数も決められた植栽本数もすぐ計算でき、保守点検や緑化植物の管理が容易になる。
【００６５】
また、直壁、急斜面等の植栽には、従来では蔦類くらいであったが、この植栽培土生育装置を使用すれば、保形部材を取り付けることにより、直壁、斜面、平面等、関係なく植栽緑化等が可能となる。即ち、平面、斜面、垂直面等に取り付ける場合は、保形部材とこれら平面、斜面、垂直面との間に状況に応じた適宜部材を介して取り付けることができる。
【００６６】
更に、雑草等が飛来しても、植栽面の防根シートが雑草の繁殖を防止するので、普段人が入り込みにくい建物の屋根等の保守回数が減少する。
【００６７】
次に、請求項２に記載の発明の植栽培土生育装置によれば、請求項１に記載の発明の効果に加えて、植栽培土収納袋は保形部材に対して着脱自在であるので、一部の植物が枯れてもその部分の袋を着脱自在に取り替えることですぐに元の景観を取り戻すことができると共に、場所、季節によって保形部材を設置したまま植栽培土収納袋のみを交換することが容易になる。
【００６８】
次に、請求項３に記載の発明の植栽培土生育装置によれば、請求項１又は２に記載の発明の効果に加えて、種々の設置場所に適した保形部材を構成でき、例えば、板状体を下面に用いたものは、植栽培土収納袋の下面全体を安定的に支えることができると共に、雨水を集めて植栽培土生育装置に雨水を供給することができ、また、シート状の材料を用いたものは重量が軽減でき、更に、棒状体を用いたものは風の影響を受けにくい等の効果が生じる。
【００６９】
また、植栽培土収納袋の長手方向の両側面に側板を接続したものは、側板同士を接続具として利用して隣り合う植栽培土生育装置同士を繋いだりすれば、風等により各植栽培土生育装置が動いたりしないと共に、側板を開いたりすればこの側板に雨水を受けて植栽培土収納袋の保水シートに供給できたり、液体肥料を蒔いた時に、側板が受けて植栽培土収納袋に供給すると共に装置の下に肥料をこぼさないので、屋根等の塗料が肥料により腐食することを防ぐこともできる。
【００７０】
次に、請求項４に記載の植栽培土生育装置によれば、請求項１乃至３のいずれか１項に記載の発明の効果に加えて、袋内での培土の崩落による片寄りを防ぐことができるので、傾斜面に置かれたり、植栽面を垂直方向にして設置された植栽培土崩落部材であっても培土の片寄りによる型崩れが生じない。
【００７１】
次に、請求項５に記載の植栽培土生育装置によれば、請求項１乃至４のいずれか１項に記載の発明の効果に加えて、内部から植栽培土収納袋を保形するので、外観が袋体のみで保形部材が見えないので、保形部材を見せたくない場所に設置することが可能となる。
【００７２】
また、他の外から装着する保形部材と併用することもでき、そのような場合も含めて、植栽培土収納袋内の培土の移動を防止し、袋内での培土の崩落による片寄りを防ぐことができるので、傾斜面に置かれたり、植栽面を垂直方向にして設置された植栽培土崩落部材であっても培土の片寄りによる型崩れが生じない。
【００７３】
次に、請求項６に記載の植栽培土生育装置によれば、請求項１乃至５のいずれか１項に記載の発明の効果に加えて、キャップシールにて穿孔植栽された穿孔の部分を根を通さない防根シートで覆うことができるので、風等で飛んできた雑草の種が穿孔部分から植栽培土収納袋の内部の培土に入り込んだり、もしくは植物の茎付近に落ちた雑草の根が培土に入り込んで根付いたりすることがなくなり、また、植栽培土収納袋内の培土が穿孔部分から外部にこぼれることがなくなった。
【００７４】
また、穿孔植栽後に茎の部分を除いた穿孔部分付近を覆うことができるので、茎に対して根の部分の直径の大きな苗であっても、植栽後の穿孔部分での培土の露出を気にすることなく、苗の根の部分が通る大きな穿孔を開けて植栽することができるようになった。
【図面の簡単な説明】
【００７５】
【図１】植栽培土生育装置の斜視図である。
【図２】植栽培土生育装置の斜視図である。
【図３】植栽培土収納袋を示す斜視図である。
【図４】保形部材を示す斜視図である。
【図５】植栽培土生育装置の使用状態の一例を示す斜視図である。
【図６】培土崩落防止具付き保形部材を示す斜視図である。
【図７】（ａ）は保形部材を示す斜視図で、（ｂ）はそれを用いた植栽培土生育装置の一例である。
【図８】植栽培土生育装置の使用状態を示す側面図である。
【図９】植栽培土生育装置の使用状態を示す斜視図である。
【図１０】植栽培土生育装置の使用状態を示す斜視図である。
【図１１】（ａ）（ｂ）は植栽培土生育装置の斜視図である。
【図１２】植栽培土生育装置の斜視図である。
【図１３】植栽培土生育装置の使用状態を示す斜視図である。
【図１４】植栽培土生育装置の使用状態を示す斜視図である。
【図１５】（ａ）（ｂ）はキャップシールの一例を示す斜視図である。
【図１６】（ａ）（ｂ）（ｃ）は植栽培土収納袋へのキャップシールの使用状態を示す斜視図である。
【図１７】（ａ）（ｂ）はキャップシールの他の例を示す斜視図である。
【図１８】植栽培土収納袋へのキャップシールの使用状態の他の例を示す斜視図である。
【発明を実施するための形態】
【００７６】
図１は、この発明の植栽培土生育装置の一例を示す実施形態であり、この植栽培土生育装置１は植栽培土収納袋２と板状体の下に足を設けた台座形状の保形部材３とからなり、植栽培土収納袋２の防根シートからなる上面を植栽面４とし、この植栽面４に適宜間隔をあけて植栽マークを設け、穿孔植栽により植物の種や苗を植え込み、穿孔により開けられた孔５から突出している植物６により緑化を行うものである。なお、植栽マークが無い場合もある。
【００７７】
前記保形部材３における植栽培土収納袋２の下側の部分は、平板の板状体７とその両側部に一体に設けてある水平の側板８とからなり、板状体７の下面には、植栽培土収納袋２が直接地面等の平面に接して水の流れを阻止しないようにして植栽培土収納袋２の下側に水路を確保するための複数本の下部に突出する条状の足９が設けてあり、側板８には、設置場所にネジ止め等により固定するための取付孔１０が設けてある。
【００７８】
この植栽培土収納袋２と保形部材３は図示されないが適宜手段により着脱自在となっている。例えば面ファスナー（図示せず）を保形部材３の板状体７の部分の上面と植栽培土収納袋２の下面に設けて両方の面ファスナーを貼り合わせることで固定し、離脱させる場合は植栽培土収納袋２を保形部材３の板状体７の部分から面ファスナーの接着力に抗して引き剥がすようにする。
【００７９】
図２の植栽培土生育装置１１は、他の実施形態であり、図１と同一の機能を有する部位には同一の符号を付してある。この植栽培土生育装置１１の保形部材１２には、板状体７の側部に連なって上方向に傾斜した傾斜側板１３が設けられ、この傾斜側板１３の最上部は折れ曲がって水平状態となる側板８を形成し、取付孔１０が適宜間隔を空けて複数箇所設けられている。
【００８０】
この図２の植栽培土生育装置１１は、その両傾斜側板１３に挟まれた部分を例えば折板屋根の凹溝に嵌め込んで、折板屋根の凸部にて取付孔１０を用いてネジ止めする等して固定される。
【００８１】
図３に示す植栽培土収納袋１４は保形部材へ着脱固定自在とするための留め具としてベルト１５を取り付けた例を示しており、植栽培土収納袋１４の下面側に取り付けられたベルト１５を、保形部材に巻回して適宜固定するようになっている。
【００８２】
なお、図１や図２に示すような側板８や傾斜側板１３付きの保形部材３，１２の場合、保形部材３，１２の板状体７の部分と側板８や傾斜側板１３の境目において、この図３の植栽培土収納袋１４を載置した際にベルト１５に該当する位置にスリット（図示せず）を設けておき、このスリットにベルト１５を通して下側又は上側で締め付けるようにすればよい。
【００８３】
図４に示す保形部材１６は、下面が網状体１７となった実施形態であり、またその網状体１７の下側に足１８を設けたもので、主に陸屋根等の平面状の部分に載置されるものである。また両側部に傾斜側板１９が固定してあり、植栽培土収納袋用の留め具として、両側からベルト２０が固定されている。
【００８４】
このベルトは２０は、網状体１７と傾斜側板１９との境界部に設けたスリットにより、実線で示す傾斜側板１９の外側に位置する場合と、二点鎖線で示す傾斜側板１９より内側に位置する場合とに自在に変更することができる。
【００８５】
図５は、折板屋根にこの発明の植栽培土生育装置を設置した例を示したものであり、一般的に工場の屋根等に使用されている波状に折り曲げて多数本の凹溝と凸部を交互に形成した折板屋根２１の屋根の上を、図１及び図２で示した植栽培土生育装置１及び１１にて緑化する場合を示すものである。
【００８６】
この実施形態の場合、植栽培土生育装置１はその傾斜側板１３の部分を折割屋根２１の凹溝に嵌め込んだ上で、側板８の取付孔１０を利用して折板屋根２１の凸部に取り付けているが、植栽培土生育装置１１であっても、寸法を一致させれば取付孔１０を折板屋根２１の凸部に取り付けることで使用することができる。
【００８７】
なお、取付孔１０は隣り合う植栽培土生育装置１，１１の接合にも用いられ、また、折板屋根２１の凹溝の植栽培土生育装置１，１１の下側には空間が設けられ、雨水等の水の水路が確保されている。
【００８８】
図６は、植栽培土収納袋を傾斜させて設置した場合、袋の内部で培土が動いて下側に偏ってしまうのを防止するための培土崩落防止具を設けた保形部材の実施形態であり、この場合の台座状の保形部材２２は、袋体を収納できる大きさに形成され、上面を除く他の５面が網状板２３からなり、ヒンジ２４を介して開閉自在の上面は周囲の蓋枠２５と、蓋枠２５内で張られた針金状の線材２６等で構成され、この線材２６が途中で折れ曲がって内側に突出した突出部２７を形成しており、この突出部２７が培土崩落防止具となる。
【００８９】
使用方法は、ヒンジ２４により蓋枠２５を跳ね上げて開放した状態にしてから、網状体２３で囲まれた部分に植栽培土収納袋を挿入した後、蓋枠２５を閉じると、線材２６の突出部２７が植栽培土収納袋を外側から押圧又は穿孔して袋内の培土を押しのけるようにして押し込まれ、この部分が内部で壁となり、培土の移動を阻止し、植栽培土収納袋が傾いた場所に設置されても、培土が内部で崩れて崩落するのを防止する。
【００９０】
なお、保形部材に崩落防止具を設ける手段は図６の実施形態に限られるものではなく、図１、図２、図４で示した板状体７や網状体１７の上面に凸形状の突出部を直接設けるようにするものであってもよい。
【００９１】
また、植栽培土収納袋を収納する保形部材も図示のような網状体に限られることはなく、他の板状体、桟材、シート状体等を用いたものやその組み合わせ等自由に構成することができる。例えば、蓋枠２５を前方で下方に彎曲させる延長部を設けることで、この延長部を前方の網状体２３に被せて蓋となる蓋枠２５を固定するようにしたり、種々の構成を採用することができる。
【００９２】
図７（ａ）は、植栽培土収納袋２の内部に培土２８と共に挿入する保形部材２９を示すものであり、保形部材２９は桟材を組み合わせて全体が植栽培土収納袋２の内部に収納可能でかつ外形が植栽培土収納袋２とほぼ同じ大きさとなっており、この保形部材２９は、植栽培土収納袋２を内側から支えて保形すると共に、この保形部材２９自体が、内部での培土２８の移動を阻止する崩落防止具の役割をも果たすこととなる。
【００９３】
このような実施形態の場合、植栽培土収納袋２の外側に保形部材がなく、また保形部材２９が外から見えないため、植栽培土収納袋２をそのまま設置することが可能な平坦な場所で、かつ保形部材が見えると目障りとなるような場所に設置することができる。
【００９４】
なお、この図で示すような植栽培土収納袋２の内側に挿入する保形部材２９と、他の実施形態で示した植栽培土収納袋２の外側に接合する保形部材とを併用するようにしても良い。
【００９５】
図７（ｂ）は、上記保形部材２９を用いた植栽培土生育装置の一例を示すものであり、他の保形部材として長尺状の桟材の保形部材４１を植栽培土収納袋２の長手方向両端部に取り付けたものであり、この場合、保形部材４１に設けた適宜取付手段にて設置場所に取り付ければ、例えば折板屋根に設置されて植栽培土収納袋２が浮いた状態であっても、植栽培土収納袋２内の保形部材２９の存在により植栽培土収納袋２が保形され、垂れ下がったり折れ曲がったりしない。
【００９６】
図８、図９は、図６で示した保形部材２２を用いた植栽培土生育装置３０を、壁面３１等の垂直面に沿って上下三段に並べて設けた例を示しており、パイプ部材３２を２本、垂直方向にして壁面に適宜手段にて固定し、この２本のパイプ部材３２間に植栽培土生育装置３０の両端を取り付けるようにしてある。
【００９７】
この実施形態の場合、植栽培土生育装置３０は横長で、１つの植栽培土生育装置３０内に植栽培土収納袋２が３つずつ収納されている。
【００９８】
上段の植栽培土生育装置３０は植栽面が水平状態、中段のものは植栽面が正面を向いた垂直状態、下段のものは植栽面が正面を向きつつ斜め約４５度に調整されており、これらは両パイプ部材３２に固定された横方向に伸びた横桟３３の角度が変更自在となったヒンジ部分を適宜手段により調整・固定することで行っている。
【００９９】
また、これら植栽培土生育装置３０の上下位置もパイプ部材３２に取り付けられた調整部３４を緩めて滑らせて、適宜位置にて締め付け固定できるようになっている。
【０１００】
なお、この実施形態における植栽培土生育装置３０の矩形状となる筐体は、網状体により構成したが、パイプ部材を並べたもの、板状のもの等として、これらにより矩形状の筐体を構成して用いるようにしてもよい。
【０１０１】
また、植栽培土生育装置３０を壁面等に取り付けるための手段は、必ずしもパイプでなくてもよく、鋼線、板体等適宜な手段・装置を用いることができる。
【０１０２】
図１０は、植栽培土収納袋の長手方向の両側面に着脱固定自在な長尺状の桟材からなる保形部材として側板を接合した実施形態を示すものであり、この植栽培土生育装置３５は、植栽培土収納袋３６と、この植栽培土収納袋３６を構成する植栽面４側の防根シートと下側の保水シートとの縫い合わせにより側部で生じた片３７に着脱自在となる適宜手段（例えば、面ファスナー、ボタン等）により取り付けられた傾斜側板３８とからなる。
【０１０３】
この傾斜側板３８が植栽培土収納袋３６の長手方向の側部にわたって取り付けられていることにより、設置された場所にて植栽培土収納袋３６が撓んでしまったりすることがなく保形されることになる。
【０１０４】
尚、植栽培土収納袋３６の上面の植栽面４上に、穿孔により開けられた小穴５から繁茂して緑化効果を与える植物６等は、他の実施形態と同様のものである。
【０１０５】
前記傾斜側板３８は、適宜手段により片３７との取付部分を中心軸として傾斜角度を自由に調整可能となっており、また、傾斜側板３８の最上部は折れ曲がって略水平状態となる側板３９を形成しており、取付孔４０が適宜間隔を空けて複数箇所設けられている。
【０１０６】
図示のように、この取付孔４０を用いて、隣り合う植栽培土生育装置３５同士を接続すれば、複数の植栽培土生育装置３５が一体化して重量が増すので、強風や台風等により植栽培土収納袋３６が動いたり型崩れしたりすることが防止できる。
【０１０７】
傾斜側板３８同士を接続した場合、隣り合う植栽培土生育装置３５同士の間隔は、傾斜側板３８の角度を調整することで調整変更できる。また、複数の植栽培土収納袋３６の間には傾斜側板３８が存在して隙間が生じないので、傾斜側板３８が降雨水を無駄なく植栽培土収納袋３６に供給できると共に、液体肥料を散布により与えた時、植栽培土収納袋３６から外れた肥料液を傾斜側板３８が受けて下にこぼさないので、例えば塗料が塗布された屋根の上等に設置した場合、液体肥料により屋根の塗料が腐食したりするのを防ぐことにもなる。
【０１０８】
図１１（ａ）は、他の実施形態の植栽培土生育装置５０を示すものであり、この場合の保形部材５１の主材料は可撓性のある布状のシート状体５２であり、シート状体５２の一方辺が植栽培土収納袋２の長辺側と略同一寸法となっており、他方辺は植栽培土収納袋２の短辺側より長い寸法となっており、植栽培土収納袋２と略同一寸法となっている辺には、全長にわたって硬質の桟材５３が一体化されている。
【０１０９】
そしてシート状体５２の中央上面に面ファスナー等（図示せず）を用いて、植栽培土収納袋２が着脱固定自在に取り付けられているが、シート状体５２自体は可撓性があり、そのままでは保形機能を有しない。しかし適宜場所、例えば、折板屋根の隣り合う凸部に両側の硬質の桟材５３を、シート状体５２がピンと張られた状態でネジ止め等適宜手段にて固定すれば、シート状体５２は折板屋根の凹溝を覆う平面状に固定され、このシート状体５２に取り付けられた植栽培土収納袋２は曲がったり弛んだりせず保形され、このシート状体５２が保形部材の役割を果たすことになる。
【０１１０】
図１１（ｂ）の植栽培土生育装置５４は、シート状体５２を分割した状態を示すものであり、この場合も、両側の硬質の桟材５３を折割屋根の隣り合う凸部に適宜手段にて固定すれば、複数のシート状体５２に下部を保持された植栽培土収納袋２は、保形されることになる。且つ、また、シート状体５２は空隙を有しているので、風圧等で破損することを防ぐことができる。
【０１１１】
このように、保形部材を構成する全てが、硬質で定形性を有しなくとも、硬質部材と組み合わせるか、或いは、それを設置場所の適宜場所に固定することで、全体として保形性を有して植栽培土収納袋を保形できるものであればよい。なお、別途用意した桟材を桟材５３の両端部を接続するようにして、四角い枠体を構成することもある。
【０１１２】
図１２は、他の実施形態の植栽培土生育装置５５を示すものであり、この場合の保形部材は、断面Ｌ字角材や円柱形の棒状体など桟材を四角形状に組み合わせた枠体５６であり、その一辺の長さは、植栽培土収納袋２の長辺側と略同一寸法となっており、植栽培土収納袋２の長辺方向の両端部（短辺）を枠体に適宜手段にて着脱自在に固定してしまうものであり、植栽培土収納袋２は、両端部が固定されて保形されることになる。なお、これらの枠体５６の寸法等は限定されるものではない。
【０１１３】
この植栽培土生育装置の取付は、枠体５６を、適宜場所、例えば、折板屋根の隣り合う凸部に適宜手段で固定すれば、植栽培土収納袋２は、折板屋根の凹部中央上部で凸部平面と同一高さに保持されることになる。
【０１１４】
なお、この実施形態は、折板屋根に設置すると、図１１の植栽培土生育装置５０，５４の保持位置と類似するが、強風を受けた場合、折板屋根の谷側から、或いは谷側に入り込む風が、図１１のものはシート状体５２が風を受けて植栽培土収納袋２が揺れたり最悪の場合、シート状体５２が風により破損することがあるが、この実施形態の場合、風は枠体５６内を通り抜けることで、植栽培土生育装置５５の破損等が生じることはない。
【０１１５】
図１３は、枠体５６を保形部材とした植栽培土生育装置５５において、枠体５６の四隅に足５７を取り付けることで枠体５６を地面より浮かせることで、平坦地に設置できるようにした実施形態であり、図では２つの植栽培土生育装置５５のみ表示しているが、縦横に複数の植栽培土生育装置５５を並べ、例えばジョイナー等で隣りあう枠体５６同士を接続し、多数個の植栽培土生育装置５５により平坦地を緑化するものである。
【０１１６】
この実施形態の場合、保形部材としては植栽培土収納袋２の長さ方向両端部に接続される枠体５６を用いたものであるが、この四角形の枠体５６の内側にシート状材（図示せず）を張設し、シート状材の上面に植栽培土収納袋２を載置するようにして、図１１で示したような構造の保形部材として実施してもよい。
【０１１７】
図１４は、図１３で示した足付きの枠体５６と類似する構造の枠体５８の上面全面に布等のシート状体５９を張設して保形部材とし、シート状体５９の上面に植栽培土収納袋２が２つずつ面ファスナー等の適宜手段にて固定されている構造の植栽培土生育装置を示すものである。
【０１１８】
枠体５８の四隅には下方向に伸びる足６０を有しており、足６０が長い植栽培土生育装置６１と、足６０が短い植栽培土生育装置６２の２種類の植栽培土生育装置を用意し、これらを交互に並べて植栽培土生育装置６１，６２の足６０同士を適宜手段にて連結することで陸屋根等の平面上に複数個を縦横に展開して設置する。
【０１１９】
そうすると、長い足６０を有する植栽培土生育装置６１と短い足６０を有する植栽培土生育装置６２との間に高さ方向の相違による隙間が生じ、この隙間に風が入り込んで通過することで、植栽培土生育装置６１，６２と下にある陸屋根等の平面との間に風通しが生じることで、暖気溜まり等を防ぐことができる。
【０１２０】
なお、図示のものは、各植栽培土生育装置６１，６２の足６０の長さは各々同じ長さとしたが、傾斜屋根に設置した際に枠体５８が略水平となるようにするために、両側の足６０の長さ（高さ）を屋根の傾斜角度に応じて差を設けるようにしてもよい。
【０１２１】
図１５（ａ）（ｂ）は、それぞれこの発明のキャップシールの一例を示すものであり、図１５（ａ）のキャップシール６３は、材料が植栽培土収納袋２を形成する防根シートと同じ材料で構成された円形状で、中央部に小穴６４が開けられ、この小穴６４から連なって若干寸法を切り込んだスリット６５が四方に形成されており、一つのスリットはキャップシール６３の外周部まで達して切り込み６６を形成されており、図１５（ｂ）のキャップシール６７は、中央部に十字状に切り込まれたスリット６５のみが設けられ、そのうち１つのスリットがキャップシール６７の外周部まで達して切り込み６６を形成している。
【０１２２】
図１６（ａ）（ｂ）（ｃ）は、茎６８に対して根部分６９が比較的大きな植物の苗７０を穿孔植栽し、その後に穿孔７１を図１５（ａ）で示すキャップシール６３にて封鎖する状態を示す説明図である。
【０１２３】
まず、植栽培土収納袋２に開けられた穿孔７１に植物の苗７０を挿入するが、苗７０の土壌内に入る根部分６９は根と土とを球状の一塊としており、穿孔７１は根部分６９が通過できる程度の大きさが必要となっている（図１５（ａ））。
【０１２４】
植物の苗７０を穿孔７１に挿入して植え込み後、必要であれば、培土を穿孔７１から補充し、次に、植物の茎６８をキャップシール６３の切り込み６６で挟み込みながら、小穴６４の部分が茎６８に嵌り込むようにする（図１５（ｂ））。
【０１２５】
その後、キャップシール６３全体で穿孔７１を覆いつつキャップシール６３を植栽培土収納袋２に適宜手段にて接着固定して穿孔７１を封鎖する（図１５（ｃ））。
【０１２６】
キャップシール６３の植栽培土収納袋２への接着固定する適宜手段は、例えば、キャップシール６３の下面周辺部に貼り付けられた両面接着テープ（図示せず）を用いて接着力により植栽培土収納袋２に貼り付ける方法があるが、これに限定されることなく、他の既知の手段にて固定を行うことができる。
【０１２７】
なお、図１７（ａ）（ｂ）のように、１つの大きなキャップシールに、穿孔の間隔に一致した小穴やスリットを設けておいてもよく、図１７（ａ）のキャップシール７２は、長方形の防根シートからなり、両端部付近及び中央部の３箇所に小穴６４が開けられ、この小穴６４から連なって若干寸法を切り込んだスリット６５が四方に形成されており、一つのスリットはキャップシール７２の一方側辺まで達して切り込み６６が形成されており、図１７（ｂ）のキャップシール７３は、両端部付近及び中央部の３箇所に十字状に切り込まれたスリット６５のみが設けられ、そのうち１つのスリットがキャップシール７３の一方側辺まで達して切り込み６６を形成している。
【０１２８】
図１８は、植栽培土収納袋２に対して図１７（ａ）のキャップシール７２を用いた例を示すものであり、植栽培土収納袋２に開けられた穿孔７１の間隔が一定であれば、このような１つのキャップシール７２に複数の小穴６４やスリット６５を設けたものを用いることができ、複数の穿孔７１を一度に封鎖することができる利点があるが、キャップシール７２の材料が多く必要となるので、穿孔７１の間隔が比較的小さいものや、穿孔７１を封鎖する際の作業効率を高めたい場合に用いるのが適している。
【０１２９】
以上、この発明の種々の実施形態を例示したが、この発明は、上記のような実施形態に限定されるものではなく、この発明の目的の範囲内で適宜設計変更して実施できる。
【符号の説明】
【０１３０】
１，１１，３０，３５，５０，５４，５５，６１，６２  植栽培土生育装置
２，１４，３６  植栽培土収納袋
３，１２，１６，２２，２９，４１，５１  保形部材
４  植栽面
５  孔
６  植物
７  板状体
８，３９  側板
９，１８，５７，６０  足
１０，４０  取付孔
１３，１９，３８  傾斜側板
１５，２０  ベルト
１７，２３  網状体
２１  折板屋根
２４  ヒンジ
２５  蓋枠
２６  線材
２７  突出部
２８  培土
３１  壁面
３２  パイプ部材
３３  横桟
３４  調整部
３７  片
５２，５９  シート状体
５３  桟材
５６，５８  枠体
６３，６７，７２，７３  キャップシール
６４  小穴
６５  スリット
６６  切り込み
６８  茎
６９  根
７０  苗
７１  穿孔
【図１】
2010220591.tif 000003
【図２】
2010220591.tif 000004
【図３】
2010220591.tif 000005
【図４】
2010220591.tif 000006
【図５】
2010220591.tif 000007
【図６】
2010220591.tif 000008
【図７】
2010220591.tif 000009
【図８】
2010220591.tif 000010
【図９】
2010220591.tif 000011
【図１０】
2010220591.tif 000012
【図１１】
2010220591.tif 000013
【図１２】
2010220591.tif 000014
【図１３】
2010220591.tif 000015
【図１４】
2010220591.tif 000016
【図１５】
2010220591.tif 000017
【図１６】
2010220591.tif 000018
【図１７】
2010220591.tif 000019
【図１８】
2010220591.tif 000020